(57)【要約】  本発明はチャッティングデータを再生する対話形ＤＶＤシステムに関する。コンテンツディスクプレーヤーは通信網を介してコンテンツサーバーに連結される。コンテンツディスクプレーヤーシステムは、コンテンツディスクプレーヤーにより再生されるコンテンツと連係する新しいチャッティングデータに対する伝送要求をコンテンツサーバーに伝送する手段と、新しいチャッティングデータとその新しいチャッティングデータと連係する第２ＬＵＴ情報を受信する手段と、コンテンツソースから提供するコンテンツと同期して新しいチャッティングデータを再生する手段とを含み、前記要求は第１ＬＵＴ情報を含むとを特徴とする。
2005529524.tif 000002
【特許請求の範囲】
【請求項１】
通信網に連結されたコンテンツ媒体プレーヤーを介して再生されるチャッティングデータを更新する方法において、
前記通信網を介して前記コンテンツ媒体プレーヤーと通信をするコンテンツサーバーから更新されたチャッティングデータを受け取ることを要求する段階と、
前記コンテンツサーバーまたはコンテンツ媒体プレーヤーのうち少なくともいずれか一つにより提供するコンテンツ情報と共に前記更新されたチャッティングデータを再生する段階と
を含む方法。
【請求項２】
前記コンテンツ情報はＡ／Ｖデータであることを特徴とする請求項１記載の方法。
【請求項３】
前記コンテンツ情報の少なくとも一部は前記コンテンツ媒体プレーヤーに格納されることを特徴とする請求項１記載の方法。
【請求項４】
前記コンテンツ情報の少なくとも一部は前記コンテンツサーバーに格納されることを特徴とする請求項１記載の方法。
【請求項５】
前記更新されたチャッティングデータを受け取ることを要求する時、前記コンテンツサーバーに最終更新時間（ＬＵＴ）情報を伝送する段階をさらに含み、、
前記ＬＵＴ情報は、前記コンテンツ媒体プレーヤーに伝送した最後に更新されたチャッティングデータを前記コンテンツサーバーが受信した時間を指すことを特徴とする請求項１記載の方法。
【請求項６】
前記ＬＵＴの後に前記コンテンツサーバーが受信した新しいチャッティングデータを前記コンテンツサーバーから受信する段階をさらに含む請求項５記載の方法。
【請求項７】
前記更新されたチャッティングデータを前記コンテンツサーバーから前記コンテンツ媒体プレーヤーに伝送することを要求する段階をさらに含み、
前記更新されたチャッティングデータは前記ＬＵＴ以後に前記コンテンツサーバーに提供されたチャッティングデータで構成されることを特徴とする請求項５記載の方法。
【請求項８】
前記受信した新しいチャッティングデータと連係する新しいＬＵＴ情報を受信する段階をさらに含む請求項６記載の方法。
【請求項９】
前記ＬＵＴは対話形光ディスクの再生スタート時間に対して相対的に測定されることを特徴とする請求項１記載の方法。
【請求項１０】
更新されたチャッティングデータは前記コンテンツサーバーから前記コンテンツ媒体プレーヤーに所定時間間隔で伝送されることを特徴とする請求項１記載の方法。
【請求項１１】
通信網を介してコンテンツサーバーに連結されてチャッティングデータを再生する対話形コンテンツ媒体プレーヤーシステムにおいて、
前記コンテンツ媒体プレーヤーにより再生されるコンテンツと連係する新しいチャッティングデータに対する伝送要求を前記コンテンツサーバーに伝送する手段と、
前記新しいチャッティングデータとその新しいチャッティングデータと連係する第２ＬＵＴ情報を受信する手段と、
コンテンツソースから提供するコンテンツと共に前記新しいチャッティングデータを再生する手段と
を含み、前記要求は第１ＬＵＴ情報を含むことを特徴とするシステム。
【請求項１２】
前記コンテンツソースは前記コンテンツサーバーであることを特徴とする請求項１１記載のシステム。
【請求項１３】
前記コンテンツソースは前記コンテンツ媒体プレーヤーに挿入されたコンテンツ媒体であることを特徴とする請求項１１記載のシステム。
【請求項１４】
前記第２ＬＵＴ情報が前記コンテンツ媒体に格納されることを特徴とする請求項１３記載のシステム。
【請求項１５】
前記第２ＬＵＴは、前記コンテンツサーバーが他のコンテンツ媒体プレーヤーから前記新しく更新されたチャッティングデータを受信した時間を指すことを特徴とする請求項１３記載のシステム。
【請求項１６】
前記第１ＬＵＴは、前記コンテンツ媒体プレーヤーに伝送した最終チャッティングデータを前記コンテンツサーバーが他のコンテンツ媒体プレーヤーから受信した時間を指すことを特徴とする請求項１１記載のシステム。
【請求項１７】
前記新しいチャッティングデータは前記コンテンツサーバーから所定時間間隔で受信されることを特徴とする請求項１１記載のシステム。
【請求項１８】
通信網に連結された少なくとも一つ以上の対話形ＤＶＤプレーヤーにチャッティングデータを提供するコンテンツサーバーシステムにおいて、
前記コンテンツ媒体プレーヤーから新しいチャッティングデータに対する要求を受信する手段と、
前記新しいチャッティングデータとその新しいチャッティングデータと連係する第２ＬＵＴ情報を前記コンテンツ媒体プレーヤーに伝送する手段と
を含み、前記要求は第１ＬＵＴ情報を含むことを特徴とするシステム。
【請求項１９】
前記第２ＬＵＴは、前記コンテンツサーバーが他のコンテンツ媒体プレーヤーから前記新しく更新されたチャッティングデータを受信した時間を指すことを特徴とするシステム。
【請求項２０】
前記第１ＬＵＴは、前記コンテンツ媒体プレーヤーに伝送した最終チャッティングデータを前記コンテンツサーバーが他のコンテンツ媒体プレーヤーから受信した時間を指すことを特徴とする請求項１８記載のシステム。
【請求項２１】
前記新しいチャッティングデータは前記コンテンツサーバーから前記コンテンツ媒体プレーヤーに所定時間間隔で伝送されることを特徴とする請求項１８記載のシステム。
【発明の詳細な説明】
【技術分野】
【０００１】
本発明は対話形ディスクネックワークでコンテンツを再生する方法とシステムに係り、さらに詳細には通信網に連結されたＥＮＡＶ（Ｅｎｈａｎｃｅｄ  Ｎａｖｉｇａｔｉｏｎ）またはＩ−ＤＶＤ（Ｉｎｔｅｒａｃｔｉｖｅ  Ｄｉｇｉｔａｌ  Ｖｅｒｓａｔｉｌｅ  Ｄｉｓｋ）プレーヤーのような対話形コンテンツディスクプレーヤーを介して提供する更新されたチャッティングコンテンツを再生する方法とシステムに関する。
【背景技術】
【０００２】
ＤＶＤのような高密度光ディスクは大量のデジタルデータを格納することができる。ＤＶＤの格納容量は相対的に長時間の高画質の動映像データや高音質のオーディオデータを十分に格納することができる。
【０００３】
ＤＶＤには二つの記録領域がある。一つはＡ／Ｖデータのような実際のデータが格納され、他の一つには記録された実際のデータの再生を制御するために使われる制御またはナビゲーションデータが格納される。ＤＶＤがＤＶＤプレーヤーに装着されると、先にナビゲーションデータを読み出してメモリーに格納し、その後、ナビゲーションデータに含まれている命令または制御情報を参照して実際のＡ／Ｖデータを再生する。したがって、ユーザーはＤＶＤプレーヤーを介してＤＶＤに格納された高画質の動映像を視聴することができる。
【０００４】
最近、対話形またはエンハンストナビゲーション（Ｉ−ＤＶＤまたはＥＮＡＶ）システムが提案されている。コンテンツディスク（例えば、Ｉ−ＤＶＤまたはＥＮＡＶディスク）のような対話形コンテンツ媒体は‘ｈｔｍｌ（Ｈｙｐｅｒ−Ｔｅｘｔ  Ｍａｒｋ  ｕｐ  Ｌａｎｇｕａｇｅ）’または‘ｘｍｌ（ＥＸｔｅｎｓｉｂｌｅ  Ｍａｒｋ  ｕｐ  Ｌａｎｇｕａｇｅ）’ファイル形式の制御、ナビゲーション、Ａ／Ｖデータを含む。制御データによって、Ｉ−ＤＶＤまたはＥＮＡＶプレーヤーのような対話形再生装置が対話形コンテンツディスクまたはコンテンツサーバーのようなコンテンツプロバイダに格納された制御及びナビゲーション情報によってＡ／Ｖデータを再生することができる。コンテンツサーバーはインターネットのようなネットワークを介してナビゲーションシステムと通信する。また、ユーザーはディスクのコンテンツと関連した詳細な情報を探索できる。
【０００５】
‘Ｉ−ＤＶＤ’と‘ＥＮＡＶ’の用語は対話形またはエンハンストナビゲーションシステムを指す相互に取り替えることができる用語として使われる。以後、‘I−ＤＶＤ’を使用する。
【０００６】
ユーザー間でチャッティングデータと情報をやり取りするためには、Ｉ−ＤＶＤに、インターネットチャッティングのための言語支援プログラム及び通信プロトコルのような多くのソフトウェアと、容量が大きいメモリのようなハードウェアが必要であるために、装置が大型化されるという問題がある。したがって、このような問題を解決するためのシステムと方法が要求される。
【発明の開示】
【発明が解決しようとする課題】
【０００７】
本発明は前記のような実情と問題点を勘案して創作されたものであって、本発明の目的は、コンテンツサーバーに連結された複数のＩ−ＤＶＤユーザーの間でチャッティングデータと情報交換を最適化する方法を提供することである。
【課題を解決するための手段】
【０００８】
本発明の一実施態様による通信網に連結されたＩ−ＤＶＤプレーヤーを介して再生されるチャッティングデータを更新する方法は、その通信網を介してＩ−ＤＶＤプレーヤーと通信するコンテンツサーバーから更新されたチャッティングデータを受け取ることを要求する段階と、コンテンツサーバーまたはあるＩ−ＤＶＤプレーヤーのうち少なくともいずれか一つが提供するコンテンツ情報と共に更新されたチャッティングデータを再生する段階とを有することを特徴とする。
【０００９】
コンテンツ情報はＡ／Ｖデータでよい。コンテンツ情報の少なくとも一部は、Ｉ−ＤＶＤディスクに格納されるか、またはコンテンツサーバーに格納される。更新されたチャッティングデータを受け取ることを要求する時、最終更新時間（ＬＵＴ）情報がコンテンツサーバーに伝送される。ＬＵＴ情報はＩ−ＤＶＤプレーヤーに伝送した最後に更新されたチャッティングデータをコンテンツサーバーが受信した時間を指す。
【００１０】
ＬＵＴの後にコンテンツサーバーが受信した新しいチャッティングデータをコンテンツサーバーからＩ−ＤＶＤプレーヤーに伝送する。Ｉ−ＤＶＤプレーヤーはその更新されたチャッティングデータをコンテンツサーバーがＩ−ＤＶＤプレーヤーに伝送することを要求する。更新されたチャッティングデータはＬＵＴの後にコンテンツサーバーに提供されたチャッティングデータである。
【００１１】
Ｉ−ＤＶＤプレーヤーは受信した新しいチャッティングデータと連係する新しいＬＵＴ情報をさらに受信する。ＬＵＴは対話形光ディスクの再生スタート時間に対して相対的に測定される。チャッティングデータはコンテンツサーバーからＩ−ＤＶＤプレーヤーに所定の時間間隔で伝送される。
【００１２】
本発明の他の実施態様による通信網を介してコンテンツサーバーに連結されてチャッティングデータを再生する対話形ＤＶＤ（Ｉ−ＤＶＤ）プレーヤーシステムは、Ｉ−ＤＶＤプレーヤーにより再生されるコンテンツと連係する新しいチャッティングデータに対する伝送要求をコンテンツサーバーに伝送する手段と、新しいチャッティングデータと、その新しいチャッティングデータと連係する第２ＬＵＴ情報を受信する手段と、コンテンツソースが提供するコンテンツと共に新しいチャッティングデータを再生する手段とを含み、前記要求は第１ＬＵＴ情報を含むことを特徴とする。
【００１３】
コンテンツソースは、コンテンツサーバーかＩ−ＤＶＤプレーヤーに挿入されたＩ−ＤＶＤディスクである。第２ＬＵＴ情報はＩ−ＤＶＤに格納される。第２ＬＵＴはコンテンツサーバーが他のＩ−ＤＶＤプレーヤーから新しく更新されたチャッティングデータを受信した時間を指す。
【００１４】
第１ＬＵＴは、Ｉ−ＤＶＤプレーヤーに伝送した最終チャッティングデータをコンテンツサーバーが他のＩ−ＤＶＤプレーヤーから受信した時間を指す。新しいチャッティングデータはコンテンツサーバーから所定の時間間隔で受信される。
【００１５】
本発明のさらに他の実施態様によれば、通信網に連結された少なくとも一つの対話形ＤＶＤプレーヤーにチャッティングデータを提供するコンテンツサーバーシステムが、Ｉ−ＤＶＤプレーヤーから新しいチャッティングデータに対する要求を受信する手段と、新しいチャッティングデータとその新しいチャッティングデータと連係する第２ＬＵＴ情報をＩ−ＤＶＤプレーヤーに伝送する手段とを含み、前記要求は第１ＬＵＴ情報を含むことを特徴とする。
【発明を実施するための最良の形態】
【００１６】
図１で、本発明の一実施形態によるシステムはコンテンツディスク１０に格納されたＡ／Ｖデータを再生する。Ａ／ＶデータはＤＶＤビデオデータ、イメージデータ、オーディオデータ、テキスト、または他の形態の情報で構成されている。コンテンツディスク１０には、Ａ／Ｖデータなどに加えて、エンハンストナビゲーション（ＥＮＡＶ）または制御データがさらに含まれる。ＥＮＡＶまたは制御データは、Ａ／Ｖデータを再生する方法に関する指示をＥＮＡＶプレーヤーまたはＩ−ＤＶＤプレーヤーのような対話形再生装置に提供したり、Ａ／Ｖデータのように再生される付加情報を提供する。
【００１７】
ＥＮＡＶまたはＩ−ＤＶＤは相互に取り替えることができる用語であって、対話形ＤＶＤシステムを指す。単純で効率性のために、本発明のシステムは‘Ｉ−ＤＶＤ’ディスクまたは‘Ｉ−ＤＶＤ’プレーヤーと表現される。しかし、これは例のためのだけであって、本発明を記載された特定実施形態に限定すると解釈すべきではない。すなわち、他の記録媒体またはプレーヤーも本発明の範囲に属することができる。
【００１８】
本発明の実施形態によるＩ−ＤＶＤプレーヤーはＤＶＤ再生エンジンとエンハンストナビゲーションまたは対話形（Ｉ−ＤＶＤ）再生エンジンを含む。ＤＶＤ再生エンジンは、Ｉ−ＤＶＤディスクに格納されたエンハンストナビゲーションデータによって、Ｉ−ＤＶＤ再生エンジンと連係してＩ−ＤＶＤディスクに格納されたＡ／Ｖデータを再生する。
【００１９】
本発明の実施形態にけるシステムのＩ−ＤＶＤエンジンは、ファイルシステム１１、ウェブブラウザー１２、インターフェース１３、ナビゲーター１４、格納部１５、デコーダー１６、プレゼンテーションエンジン１７、制御器（図示せず）を含む。ウェブブラウザー１２とインターフェース１３は、Ｉ−ＤＶＤプレーヤーをインターネットのような通信網に連結するネットワーク管理サービスを提供し、またエンハンストユーザーインターフェースを支援してユーザーとシステムの相互作用を取り扱う。ファイルシステム１１とナビゲーター１４は、デコーディングのためにディスク１０から読み出すデジタルデータをロードして、調査して、解析する動作を共にする。制御器は、エンハンストナビゲーションデータとＤＶＤエンジンとＩ−ＤＶＤエンジン間のインターフェースを処理して、ユーザーの要求によってシステムの構成要素を制御する。
【００２０】
デコーダー１６は、ディスク１０から読み出すデジタルデータをデコーディングする。プレゼンテーションエンジン１７は、Ａ／Ｖ出力をディスプレー端末に提供するためにデコーディングされたＡ／Ｖデータを処理する。ファイルシステム１１は、ディスク情報ファイル、セットアップファイル、同期データファイルのような記録されたファイルを探索して読み出すファイル管理を実行する。ウェブブラウザー１２は、ウェブサーフィン機能を含み、Ａ／Ｖデータの再生のためのプレゼンテーション環境を設定することができる。
【００２１】
格納部１５は、ディスク１０からアップロードしたファイルまたはシステムが連結された通信網からダウンロードしたファイルを格納するためのフラッシュメモリーまたはハードドライブのようなデータ格納媒体でよい。また、格納部１５は、情報を一時的に格納するためのキャッシュメモリーまたはバッファーでも良く、ＲＡＭ、ＲＯＭ、ＥＥＰＲＯＭ、ハードディスク、または他の格納媒体でもよい。
【００２２】
ナビゲーター１４、ファイルシステム１１、ウェブブラウザー１２は、論理的機能単位を表現したのであって、ソフトウェア、ハードウェア、またはこれらの結合の形態として実装することができる。一実施形態では、図１に示した論理的機能単位または要素の一部または全体はＦＰＧＡｓ（Ｆｉｅｌｄ  Ｐｒｏｇｒａｍｍａｂｌｅ  Ｇａｔｅ  Ａｒｒａｙｓ）またはＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）のような一つまたはそれ以上のチップで実装させることもできる。
【００２３】
図２に示したように、本発明の実施形態によれば、一つまたはそれ以上のデータ及び／または制御ファイルがＩ−ＤＶＤディスクのルートディレクトリ下に存在する、すなわち実装される。図２に示したように、ＤＶＤ_ＥＮＡＶまたはＥＮＶ_ＴＳのようなＤＶＤエンハンストナビゲーションディレクトリがルートディレクトリ下にある。エンハンストナビゲーションまたは他の制御情報を含んだファイルと、エンハンストナビゲーションコンテンツファイルとをＤＶＤエンハンストナビゲーションディレクトリの下に置くことができる。このようなファイルには、例えばｈｔｍｌ、ｘｍｌ、Ａ／Ｖコンテンツなどが含まれる。
【００２４】
本発明の実施形態では、第１ファイル‘ＥｎＤＶＤ．ｉｎｆ’はＩ−ＤＶＤディスク１０に格納されたＡ／Ｖデータの再生のための情報で構成され、第２ファイル‘Ｉｎｄｅｘ．ｈｔｍｌ’はＡ／Ｖデータ再生のための初期セットアップと関連した情報で構成され、第３ファイル‘Ｉｎｄｅｘ．ｓｙｎ’はＡ／Ｖデータと通信網またはユーザーを介して提供する付加データ間の同期のための時間情報で構成される。
【００２５】
本発明の実施形態では、ルートディレクトリの下に、図示のように、他のサブディレクトリを設けることができ‘ＶＩＤＥＯ_ＴＳ’ディレクトリはビデオデータファイルで構成され、‘ＡＵＤＩＯ_ＴＳ’ディレクトリはオーディオデータファイルで構成され、次の‘ＥＮＡＶ_ＴＳ’ディレクトリは‘ｈｔｍｌ’ファイル、‘ｘｍｌ’ファイル、イメージファイル、ビデオ及びオーディオファイルのような付加コンテンツファイルで構成される。
【００２６】
一実施形態では、ルートディレクトリの下の‘ＥｎＤＶＤ．ｉｎｆ’ファイルはディスクバージョン、コンテンツバージョン、コンテンツ製作者、または遠隔コンテンツプロバイダに接近するためのＵＲＬのような相対アドレスで構成される。遠隔コンテンツプロバイダは同一の通信網に連結された他のユーザーにより提供するコンテンツと関係された情報と多くのコンテンツを提供したりまたは所定の時間の間に再生されるＡ／Ｖデータに対する新しい更新情報を提供することができる。
【００２７】
ルートディレクトリの下のセットアップファイル‘Ｉｎｄｅｘ．ｈｔｍｌ’はウェブブラウザー１２に対する環境セットアップ情報と、Ｉ−ＤＶＤディスク１０に格納されたコンテンツの再生に対する制御またはナビゲーション情報とで構成されている。‘ｉｎｄｅｘ．ｓｙｎ’ファイルはＩ−ＤＶＤディスク１０から読み出すＡ／Ｖデータと遠隔コンテンツプロバイダからダウンロードされる他のコンテンツを同期化するタイムスタンプデータで構成される。
【００２８】
本発明の実施形態では、‘ＥＮＡＶ_ＴＳ’ディレクトリはＡ／Ｖデータと同期して再生または出力される付加コンテンツで構成される。遠隔コンテンツプロバイダが提供する付加コンテンツも‘ＥＮＡＶ_ＴＳ’ディレクトリの下に格納することができる。付加コンテンツはｈｔｍｌまたはｘｍｌファイル、イメージファイル、サウンドファイル、ビデオファイルで構成される。ここで、Ａ／Ｖとエンハンストナビゲーションデータに関連したファイル名やディレクトリ名及び特定のデータ構造は例示のためにすぎない。したがって、本発明の範囲を制限しない。同一の機能と同一の結果を同一の方式で実施して本発明の目的を達成するために、他の名前と他のまたは同等なディレクトリ構造とフォーマットを実装したり使用することができる。
【００２９】
図３で、コンテンツサーバー３００はＡ／Ｖデータと関連した更新されたバージョンのコンテンツ情報を受信して確認するサービスを提供する。例えば、仮想劇場のような付加サービスは、遠隔地に位置した複数のユーザーがＩ−ＤＶＤのＡ／Ｖデータを同時に再生することができるようにすることができる。このようなサービスはインターネットまたは他の形態の通信網を介してコンテンツサーバー３００に連結された複数のＩ−ＤＶＤプレーヤー（１００1〜１００k）に同じコンテンツ情報を提供することができる。
【００３０】
コンテンツサーバー３００は、そのコンテンツサーバー３００に連結されたＩ−ＤＶＤプレーヤーを備えた複数のユーザーが互いにデータ（例えば、チャッティングデータ）をやり取りすることによって多くの情報を交換できるようにする。図４に示したように、Ｉ−ＤＶＤプレーヤー（１００k）から放送フレーム要求を受信すると、Ｉ−ＤＶＤの再生スタート時間情報（Ｐｌａｙ_Ｓｔａｒｔ_Ｔｉｍｅ）または相対的な現在の再生時間情報（Ｒｅｌａｔｉｖｅ_Ｃｕｒｒｅｎｔ_Ｐｌａｙ_Ｔｉｍｅ）及びコンテンツ情報のＥＮＡＶデータ（例えば、チャッティングデータ）がＩ−ＤＶＤプレーヤー（１００k）に伝送される。
【００３１】
Ｉ−ＤＶＤプレーヤー（１００k）は、装置に挿入されたＩ−ＤＶＤ  １０のＡ／Ｖデータと、コンテンツサーバーから伝送された放送フレーム内に含まれたコンテンツ情報またはチャッティングデータを連係して再生する。再生に先立って、Ｉ−ＤＶＤプレーヤーは放送フレーム内の再生スタート時間情報（Ｐｌａｙ_Ｓｔａｒｔ_Ｔｉｍｅ）を探索し、確認する。一実施形態では、Ｉ−ＤＶＤプレーヤーは放送フレームに含まれたタイミング情報から相対的な現在の再生時間情報を探索し、確認する。
【００３２】
Ｉ−ＤＶＤプレーヤー（１００k）は、放送フレームを受信した後、Ｉ−ＤＶＤ  １０の所定記録フィールドを探索して、探索された記録フィールドのＡ／Ｖデータと放送フレームを介して伝送されたコンテンツ情報またはチャッティングデータを連係して再生する一連のインターネットマルチ再生動作を実施する。
【００３３】
図５を参照する。チャッティングデータはコンテンツサーバー３００のデータベースに格納されて管理される。コンテンツサーバー３００は、連結した多くのＩ−ＤＶＤプレーヤーからメッセージの形態でチャッティングデータを受信すると、チャッティングデータと現在の受信時間情報は、最終更新時間（ＬＵＴ）情報として連係させられ、データベースに格納され、管理される。チャッティングデータメッセージは、少なくとも一つのＩ−ＤＶＤプレーヤーのインデックス情報（Ｔｘ_Ｐｌａｙｅｒ）を含み、一つのエントリーとして記録される。
【００３４】
一つのエントリーとして記録されて管理されるチャッティングデータメッセージはメッセージデータストリームとして伝送することができる。いくつかの実施形態では、図６に示したように、ＴＣＰ／ＩＰヘッダー情報（ＩＰ_ＨＤ、ＴＣＴ_ＨＤ）が加えられる。メッセージデータストリームのボディー（Ｂｏｄｙ）はヘッダー情報（Ｍ_ＨＤ）、チャッティングデータ、時間ヘッダー情報（Ｔ_ＨＤ）、更新時間情報（例えば、ＬＵＴ）で構成される。
【００３５】
ある実施形態では、チャッティングデータは固定された文字数に該当する記録大きさを有する。例えば、一実施形態で、チャッティングデータは約２５６文字の記録大きさを有する。多くのメッセージ（ｍｅｓｓａｇｅ#１〜#ｎ）が連続して生成され、更新時間情報（ＬＵＴ）をそのメッセージ終わりに付加してもよい。
【００３６】
更新時間情報がチャッティングデータと共に伝送され、チャッティングデータメッセージを受信するＩ−ＤＶＤプレーヤーに格納されるチャッティングデータの最終時間を指すが、これはＩ−ＤＶＤプレーヤーで既に受信したチャッティングデータをコンテンツサーバーで重複伝送しないようにするためである。
【００３７】
その時間情報は、Ｉ−ＤＶＤの再生スタート時間（Ｐｌａｙ_Ｓｔａｒｔ_Ｔｉｍｅ）を基準にしてまたはコンテンツサーバーでカウントされる固有の時間を基準にして、チャッティングデータが提供された時点までカウントされる相対時間情報である。
【００３８】
いくつかの実施形態では、Ｉ−ＤＶＤがＩ−ＤＶＤプレーヤーに挿入されると、その装置のナビゲーター１４が、ファイルシステム１１の動作を制御して、ルートディレクトリの下に記録された‘ｉｎｄｅｘ．ｈｔｍｌ’ファイルを読み出して、ハードディスクまたはフラッシュメモリーのような格納部１５に記録して、ユーザーとのインターフェースを介してＩ−ＤＶＤが再生のためのシステム環境を設定する。
【００３９】
ユーザーがインターネット接続を要求すると、ナビゲーター１４はルートディレクトリの下に記録された‘ＥｎＤＶＤ．ｉｎｆ’ファイルのＵＲＬ情報を探索して読み出し、ウェブブラウザー１２とインターネットインターフェース１３を制御して、ＵＲＬ情報に対応するコンテンツサーバーに接続する。
【００４０】
その後、ナビゲーター１４は‘ＥｎＤＶＤ．ｉｎｆ’ファイルに記録されたディスクバージョン情報をコンテンツサーバーに伝送して、そのディスクバージョンに収容できる最後に更新されたセットアップファイルと同期ファイルを伝送することをコンテンツサーバーに要求する。
【００４１】
いくつかの実施形態では、コンテンツサーバーは、ディスクバージョンに連係する最後に更新されたコンテンツバージョンの例えば‘ｉｎｄｅｘ．ｈｔｍｌ’ファイルまたは‘ｉｎｄｅｘ．ｓｙｎ’ファイルを探索して読み出して、インターネットを介して伝送する。Ｉ−ＤＶＤプレーヤーはコンテンツサーバーから伝送した最後に更新されたコンテンツバージョン、例えば‘ｉｎｄｅｘ．ｈｔｍｌ’ファイルまたは‘ｉｎｄｅｘ．ｓｙｎ’ファイルを利用してシステムの環境を再設定する。
【００４２】
Ｉ−ＤＶＤプレーヤーは、ユーザー要求によって、図４を参照しながら前述したインターネットマルチ再生動作を実施するためのインターネットマルチ再生モードを設定する。Ｉ−ＤＶＤプレーヤーは、コンテンツサーバー３００とインターネットを介して放送フレームを要求して受信して、インターネットを介して連結された他のユーザーのチャッティングデータの伝送を要求する（Ｓ１０）。
【００４３】
Ｉ−ＤＶＤプレーヤーは、図７に示したように、コンテンツサーバー３００に管理される、最後に更新されたチャッティングデータの伝送を要求して、装置に既に伝送したチャッティングデータの最終更新時間（ＬＵＴ）を読み出してコンテンツサーバー３００に伝送する。
【００４４】
コンテンツサーバー３００は最終更新時間（ＬＵＴ）を参照してデータベースで新しいチャッティングデータを探索して読み出す。新しいチャッティングデータはデータベースの受信したＬＵＴの後に記録される。コンテンツサーバー３００は、図７に示したように、メッセージデータストリームを介して更新されたチャッティングデータを伝送する（Ｓ１１）。
【００４５】
ある実施形態では、コンテンツサーバー３００が、Ｉ−ＤＶＤプレーヤに、２５６文字数の記録大きさを有するチャッティングデータメッセージを伝送し、また更新されたチャッティングデータの伝送時間に該当する時間情報も伝送する（Ｓ１２）。
【００４６】
一実施形態では、Ｉ−ＤＶＤプレーヤー（１００k）は上記の過程でチャッティングデータと時間情報を正常に受信したことを知らせる確認メッセージ（例えば、Ｃｏｎｆｉｒ  ＆  Ｃｌｏｓｅ  Ｓｅｓｓｉｏｎ）をコンテンツサーバー３００に伝送する（Ｓ１３）。この時間情報は、最も最近に伝送したチャッティングデータの最終更新時間（ＬＵＴ）で、Ｉ−ＤＶＤプレーヤーに格納される。
【００４７】
いくつかの実施形態では、チャッティングデータに対する更新動作は所定時間間隔、例えば３０秒間隔で実行する。最終更新時間（ＬＵＴ）情報は、コンテンツサーバーとの通信を介してデータがＩ−ＤＶＤプレーヤーに伝送した時間を追跡することによって、チャッティングデータの不要な重複伝送を防止することができる。
【００４８】
一つの実施形態では、最後に更新されたチャッティングデータの伝送を要求するＩ−ＤＶＤプレーヤーのＩ−ＤＶＤディスクから伝送したチャッティングデータに更新時間（ＬＵＴ）情報が含まれていない場合、コンテンツサーバーは、Ｉ−ＤＶＤディスクの再生を始めた後に受信して格納したチャッティングデータを次々と読み出して、Ｉ−ＤＶＤディスクの再生を始めた後でカウントした相対的な時間情報と共にＩ−ＤＶＤプレーヤーに伝送する。
【００４９】
相対的な時間情報はＩ−ＤＶＤディスクが始めた後にコンテンツサーバーでカウントした時間情報である。チャッティングデータに対する最終更新時間を知らないＩ−ＤＶＤプレーヤーはコンテンツサーバーに相対的な時間情報を要求して、チャッティングデータに対する最終更新時間として用いることができる。
【００５０】
ある実施形態では、新しいチャッティングデータが生成されなかったり、Ｉ−ＤＶＤプレーヤー（１００k）から伝送しなければ、コンテンツサーバー３００は新しいチャッティングデータが生成されないことを指す、例えば、更新メッセージを所定時間間隔で伝送して、Ｉ−ＤＶＤプレーヤーユーザーがこれを識別できるようにする。
【００５１】
本発明は、このように、Ｉ−ＤＶＤネックワークで更新されたチャッティングデータを再生するシステムと方法に関する。以上、前述した本発明の望ましい実施形態は例示の目的のために開示されたものであって、当業者ならば添付された特許請求範囲に開示された本発明の技術的思想とその技術的範囲内で多様な他の実施形態を改良、変更、代替または付加などが可能である。
【図面の簡単な説明】
【００５２】
【図１】本発明によるＩ−ＤＶＤプレーヤーに対する構成を示したものである。
【図２】本発明によるＩ−ＤＶＤのディレクトリ構造を概略的に示したのである。
【図３】本発明によって複数のＩ−ＤＶＤプレーヤーが通信網を介してコンテンツサーバーに連結された状態を示したものである。
【図４】本発明によってＩ−ＤＶＤプレーヤーとコンテンツサーバー間に送受信される放送フレームを示したものである。
【図５】本発明によってコンテンツサーバーのデータベースに管理されるチャッティングデータを示したものである。
【図６】本発明によってコンテンツサーバーから伝送するメッセージデータストリームに対する構成を示したものである。
【図７】本発明によってＩ−ＤＶＤプレーヤーとコンテンツサーバー間にチャッティングデータを送受信する過程を示したものである。
【図１】
2005529524.tif 000003
【図２】
2005529524.tif 000004
【図３】
2005529524.tif 000005
【図４】
2005529524.tif 000006
【図５】
2005529524.tif 000007
【図６】
2005529524.tif 000008
【図７】
2005529524.tif 000009
【国際調査報告】
2005529524.tif 000010